(57)【特許請求の範囲】
【請求項１】
本体に開閉自在に取り付けられた紙搬送ガイドであって、該紙搬送ガイドには突出した反り矯正リブが形成され、本体側には該反り矯正リブが嵌挿可能な係合孔を形成し、
該紙搬送ガイドが閉じた状態では、反り矯正リブは該係合孔に嵌入し、該反り矯正リブの外側面と係合孔の内周面とが係合し、それ以上外側へ移動することが阻止され、
該状態で紙搬送ガイドが、左右方向に歪みがない一直線状の形状となるような位置に係合孔を配置し、本体に対して紙搬送ガイドが位置決めされることを特徴とする紙搬送ガイド。
【請求項２】
前記紙搬送ガイドは幅方向両端部にて本体に支持されており、前記反り矯正リブは紙搬送ガイドの幅方向略中央部に配置されることを特徴とする請求項１に記載の紙搬送ガイド。
【請求項３】
前記反り矯正リブは、紙搬送ガイドに一体形成されることを特徴とする請求項１又は請求項２に記載の紙搬送ガイド。
【発明の詳細な説明】
【０００１】
【発明の属する技術分野】
本発明は、本体に取り付けられ、給紙装置等により搬送される紙をガイドする、紙搬送ガイドの構造に関する。
【０００２】
【従来の技術】
従来、記録装置等の機器においては、機器をコンパクトに構成する等の理由により、給紙装置から送出される紙を途中で反転させて搬送することが行われている。この反転部分には、紙をスムーズに反転させて搬送するために、紙をガイドする紙搬送ガイドが設けられている。
紙搬送ガイドは、紙幅方向に長い長尺形状に形成され、紙幅方向の両端部にて本体へ開閉自在に取り付けられており、通常時は閉じて搬送される紙をガイドし、紙ジャムが発生した場合等には開いてジャム処理を行うことが可能となっていた。
【０００３】
【発明が解決しようとする課題】
前述の如く、紙搬送ガイドは、紙幅方向に長く形成され、厚みも薄く形成されており、紙幅方向の両端部にて支持されていたので、反りが生じ易かった。
紙搬送ガイドに反りが生じると、紙搬送がスムーズに行われず、紙ジャムが発生する原因となっていた。
そこで、本発明においては、紙ガイド時における、本体に対する紙搬送ガイドの位置決めを行い、反り発生を抑えるように構成した紙搬送ガイドを提供するものである。
【０００４】
【課題を解決するための手段】
本発明は、以上のような課題を解決すべく、次のような手段を用いるものである。
即ち、請求項１の発明においては、本体に開閉自在に取り付けられた紙搬送ガイドであって、該紙搬送ガイドには突出した反り矯正リブが形成され、本体側には該反り矯正リブが嵌挿可能な係合孔を形成し、該紙搬送ガイドが閉じた状態では、反り矯正リブは該係合孔に嵌入し、該反り矯正リブの外側面と係合孔の内周面とが係合し、それ以上外側へ移動することが阻止され、該状態で紙搬送ガイドが、左右方向に歪みがない一直線状の形状となるような位置に係合孔を配置し、本体に対して紙搬送ガイドが位置決めされるものである。
このように構成することで、紙搬送ガイドが閉じて搬送される紙をガイドしている状態では、紙搬送ガイドの反り発生が抑えられ、紙搬送ガイドの本体に対する位置がかわらないため、ガイドされる紙がスムーズに搬送されることとなり、ジャム発生を防止することができる。
【０００５】
また、請求項２の発明においては、前記紙搬送ガイドは幅方向両端部にて本体に支持されており、前記反り矯正リブは紙搬送ガイドの幅方向略中央部に配置されるものである。
これにより、両端を支持される紙搬送ガイドが反った場合に、最も反り量が大きくなる中央部付近の本体に対する位置を固定することができ、反り防止効果を高く、且つ確実にすることができる。
【０００６】
さらに、請求項３の発明では、前記反り矯正リブは、紙搬送ガイドに一体形成されるので、反り矯正リブの形成により部品点数が増加することもなく、組立性が悪化することもない。
【０００７】
【発明の実施の形態】
本発明の実施の形態を、添付の図面より説明する。図１は本発明にかかる紙搬送ガイドが設けられる記録装置を具備するファクシミリ装置を示す斜視図、図２は記録装置のサイドカバー部近傍を示す正面図、図３は同じく側面断面図、図４は紙搬送ガイドを示す正面図、図５は同じく一部裏面図、図６は紙搬送ガイドの開閉による反り状態を示す平面図である。
【０００８】
本発明の紙搬送ガイドの一例として、ファクシミリ装置の記録装置に設けられる紙搬送ガイドについて説明する。
図１に示すように、ファクシミリ装置Ｆには上部に読み取り装置２が、下部に記録装置１が備えられており、該記録装置１は、給紙カセット４及び記録部３を具備している。給紙カセット４内に堆積される用紙は、給紙装置により記録部３へ給紙され、該記録部３により記録がなされた後に、排出トレイ５へ排出される。
【０００９】
この場合、給紙カセット４内の用紙は、まずサイドカバー６が設けられる記録装置１の一端部側へ搬送され、該一端部にて反転されて他端部側に搬送され、記録された後に排出トレイ５に排出される。
サイドカバー６は、給紙カセット４から記録部３へ搬送される紙にジャムが発生した際に開け、紙の搬送経路を開放して紙ジャムの解除作業を行い易くするためのものである。
【００１０】
図２、図３に示すように、前記サイドカバー６は回動支点６ａを中心に開閉可能であり、該サイドカバー６を開けると記録装置１の本体１ａにおける開口部１ｂが開口する。
開口部１ｂの内側には紙搬送ガイド１１が配設されている。該紙搬送ガイド１１は本体１ｂに取り付けられ、回動支点１１ａを中心にして開閉可能とされている。
【００１１】
そして、紙搬送ガイド１１が閉じた状態では、給紙カセット４から記録部３へ搬送される紙が、紙搬送ガイド１１部分の搬送路Ｐを通過する際に、該紙搬送ガイド１１によりガイドされて、搬送方向が反転される。
逆に、紙搬送ガイド１１が開いた状態では、紙の搬送路Ｐが開口部１ｂを通じて外部に開放され、搬送途中で発生したジャム等に対する処理作業が行い易くなる。
【００１２】
紙搬送ガイド１１は、左右に長い長尺形状に形成され、高さ寸法ｈに対して幅寸法ｗがかなり大きくなっている。また、紙搬送ガイド１１の厚み寸法ｔは薄く形成されている。
紙搬送ガイド１１の左右両端部には前記回動支点１１ａ・１１ａが突出されており、該回動支点１１ａ・１１ａにより、紙搬送ガイド１１が本体１ａに回動自在に支持されている。
【００１３】
紙搬送ガイド１１の外側面には、複数のリブ１１ｃ・１１ｃ・・・が上下方向に形成されている。
また、紙搬送ガイド１１の内側面の上部は、紙の搬送経路Ｐに合わせて曲面形状に形成したガイド面１１ｂに構成されており、該ガイド面１１ｂ上には上下方向に複数のリブ１１ｄ・１１ｄ・・・を形成して、紙の搬送がスムーズに行われるようにしている。
【００１４】
また、紙搬送ガイド１１の内側面における、ガイド面１１ｂに形成された複数のリブ１１ｄ・１１ｄ・・・の内、いくつかのリブ１１ｄは下方（紙搬送方向下流側）に延出され、紙搬送ガイド１１の下端よりも下方へ突出して、反り矯正リブ１１ｅを形成している。
一方、記録装置１の本体１ａには、紙搬送ガイド１１に形成される反り矯正リブ１１ｅの位置に合わせて、係合孔１ｃが形成されている。
【００１５】
反り矯正リブ１１ｅは、紙搬送ガイド１１が開いている状態の場合には係合孔１ｃの上方に位置しており、紙搬送ガイド１１が閉じると係合孔１ｃに嵌入して、反り矯正リブ１１ｅの外側面と、係合孔１ｃの内周面とが係合する。
反り矯正リブ１１ｅと係合孔１ｃとが係合することで、紙搬送ガイド１１が閉じた状態では、該紙搬送ガイド１１がそれ以上外側へ移動することが防止される。
そして、係合孔１ｃに反り矯正リブ１１ｅが係合した状態で、紙搬送ガイド１１は、左右方向に歪みがない一直線状の形状となるような位置に、該係合孔１ｃは配置されている。
【００１６】
ここで、紙搬送ガイド１１は、前述のように、長尺形状で厚みが薄く形成され、両端部で支持されており、反りが生じ易い形状となっている。特に、搬送経路Ｐを搬送される紙により内側から力がかかる等の理由により、外側へ凸となる反りが生じ易い。
【００１７】
しかし、図６に示すように、本例の記録装置１においては、開いた状態では反りを有する紙搬送ガイド１１（２点鎖線で示した状態）であっても、紙搬送ガイド１１を閉じると、反り矯正リブ１１ｅと係合孔１ｃとが係合するため、該紙搬送ガイド１１の反りが矯正されて、歪みがない一直線状の形状となる（実線で示した状態）。
【００１８】
このように、紙搬送ガイド１１が、搬送経路Ｐを搬送される紙をガイドする、閉じた状態となった場合には、係合孔１ｃにより本体１ａに対する紙搬送ガイド１１の位置決めがなされ、該紙搬送ガイド１１の反りが矯正されて一直線の形状となるため、反りがある状態で紙をガイドした場合のように紙ジャムが発生することが防止され、スムーズな紙搬送が実現できる。
【００１９】
また、複数形成される反り矯正リブ１１ｅの一つは、紙搬送ガイド１１の左右略中央部に形成されている。
これにより、最も反り量が大きくなる左右中央部付近の本体に対する位置を固定することができ、反り防止効果を高く、且つ確実にすることができる。
さらに、反り矯正リブ１１ｅは左右方向の複数箇所に形成されているため、左右の全域に渡って紙搬送ガイド１１の反りを矯正することができ、全体的に均一な反り矯正を行うことが可能となっている。
【００２０】
また、反り矯正リブ１１ｅは、紙搬送ガイド１１に一体形成されているので、該反り矯正リブ１１ｅを形成したことにより、部品点数が増加することもなく、紙搬送ガイド１１を本体１ａに組み付ける際の組立性を悪化させることもない。
【００２１】
【発明の効果】
本発明は、以上のような構成とすることで、次のような効果を奏する。
即ち、前述の如くの反り矯正リブを紙搬送ガイドに一体形成することで、部品点数を増加させることなく、紙搬送ガイド１１の反りを確実に矯正することができ、スムーズな紙搬送を実現して、紙ジャムの発生を防止することが可能となる。
【図面の簡単な説明】
【図１】本発明にかかる紙搬送ガイドが設けられる記録装置を具備するファクシミリ装置を示す斜視図である。
【図２】記録装置のサイドカバー部近傍を示す正面図である。
【図３】同じく側面断面図である。
【図４】紙搬送ガイドを示す正面図である。
【図５】同じく一部裏面図である。
【図６】紙搬送ガイドの開閉による反り状態を示す平面図である。
【符号の説明】
Ｆ  ファクシミリ装置
１  記録装置
１ａ  本体
１ｃ  係合孔
１１  紙搬送装置
１１ｅ  反り矯正リブ
【図１】
0003783772.tif 000002
【図２】
0003783772.tif 000003
【図３】
0003783772.tif 000004
【図４】
0003783772.tif 000005
【図５】
0003783772.tif 000006
【図６】
0003783772.tif 000007